(57)【要約】【課題】現金輸送する複数種類の貨幣を容易に準備する。【解決手段】店舗内の現金を管理する現金処理システムを、現金輸送の対象となる貨幣の情報を入力するための操作部と、現金輸送の対象となる貨幣の情報を表示するための表示部と、操作部により現金輸送の対象とする貨幣の種類を選択する操作に伴って、選択された種類の貨幣を保管する複数の保管場所と各保管場所から回収可能な貨幣量とを表示部に表示すると共に、操作部により各保管場所から回収する貨幣量を指定する操作に伴って、指定された貨幣の合計量を前記表示部に表示する管理制御部とによって構成する。【選択図】  図１
2015094987.tif 000002
【特許請求の範囲】
【請求項１】
店舗内の現金を管理する現金処理システムであって、
現金輸送の対象となる貨幣の情報を入力するための操作部と、
前記現金輸送の対象となる貨幣の情報を表示するための表示部と、
前記操作部により現金輸送の対象とする貨幣の種類を選択する操作に伴って、選択された種類の貨幣を保管する複数の保管場所と各保管場所から回収可能な貨幣量とを前記表示部に表示すると共に、前記操作部により各保管場所から回収する貨幣量を指定する操作に伴って、指定された貨幣の合計量を前記表示部に表示する管理制御部と
を備えることを特徴とする現金処理システム。
【請求項２】
前記管理制御部は、
貨幣の種類毎に各保管場所から回収する貨幣量の内訳が決定された後、該決定に基づいて、回収する貨幣の種類及び量を示す情報を保管場所別に分類して前記表示部に表示する
ことを特徴とする請求項１に記載の現金処理システム。
【請求項３】
前記保管場所は貨幣を内部に収納保管する貨幣処理装置を含み、
前記管理制御部は、
前記表示部に保管場所別に分類表示した前記情報の中から、回収作業の対象として貨幣処理装置が選択されると、前記貨幣処理装置から回収対象の貨幣を出金させるための情報を前記貨幣処理装置に送信する
ことを特徴とする請求項２に記載の現金処理システム。
【請求項４】
前記貨幣処理装置は、
入金されたバラ紙幣を収納するバラ紙幣処理部と、
前記バラ紙幣処理部から所定枚数のバラ紙幣を受け取って束紙幣を作成する束紙幣処理部と
を含み、
前記管理制御部は、
前記バラ紙幣処理部内のバラ紙幣の収納枚数との合計枚数が所定枚数となるように他から回収されたバラ紙幣が前記バラ紙幣処理部に入金されると、前記束紙幣処理部を制御して、前記バラ紙幣処理部に収納されていた前記バラ紙幣と入金された前記バラ紙幣とを合わせて束紙幣を作成する
ことを特徴とする請求項３に記載の現金処理システム。
【請求項５】
前記貨幣処理装置は、
入金されたバラ硬貨を収納するバラ硬貨処理部と、
前記バラ硬貨処理部から所定枚数のバラ硬貨を受け取って包装硬貨を作成する包装硬貨処理部と
を含み、
前記管理制御部は、
前記バラ硬貨処理部内のバラ硬貨の収納枚数との合計枚数が所定枚数となるように他から回収されたバラ硬貨が前記バラ硬貨処理部に入金されると、前記包装硬貨処理部を制御して、前記バラ硬貨処理部に収納されていた前記バラ硬貨と入金された前記バラ硬貨とを合わせて包装硬貨を作成する
ことを特徴とする請求項３又は４に記載の現金処理システム。
【請求項６】
前記現金輸送の対象に含まれる貨幣の種類には貨幣の正損を示す情報が含まれ、
各保管場所から回収可能な貨幣情報を表示して、回収する貨幣量を決定する処理は、貨幣の正損別に行われる
ことを特徴とする請求項１〜５のいずれか１項に記載の現金処理システム。
【請求項７】
各保管場所から回収可能な貨幣情報を表示して、回収する貨幣量を決定する処理は、正貨幣を対象として行った後に、損貨幣を対象として行われることを特徴とする請求項６に記載の現金処理システム。
【請求項８】
前記現金輸送の対象に含まれる貨幣の種類には券種情報が含まれ、
損券を対象として前記操作部により貨幣の種類を選択する際には券種を選択することを特徴とする請求項６又は７に記載の現金処理システム。
【請求項９】
前記現金輸送の対象に含まれる貨幣の種類には流通硬貨であるか記念硬貨であるかを示す情報が含まれ、
硬貨を対象として前記操作部により貨幣の種類を選択する際には、前記流通硬貨は金種別に選択して、前記記念硬貨は金種を区別せずに記念硬貨として選択する
ことを特徴とする請求項１〜８のいずれか１項に記載の現金処理システム。
【請求項１０】
店舗内の現金を管理する現金処理装置であって、
現金輸送の対象となる貨幣の情報を入力するための操作部と、
前記現金輸送の対象となる貨幣の情報を表示するための表示部と、
複数の保管場所から回収可能な貨幣の種類及び量を管理して、前記操作部により現金輸送の対象とする貨幣の種類を選択する操作に伴って、選択された種類の貨幣を保管する複数の保管場所と各保管場所から回収可能な貨幣量とを前記表示部に表示すると共に、前記操作部により各保管場所から回収する貨幣量を指定する操作に伴って、指定された貨幣の合計量を前記表示部に表示する管理制御部と
を備えることを特徴とする現金処理装置。
【発明の詳細な説明】
【技術分野】
【０００１】
この発明は、金融機関等の営業店内にある現金を管理する現金処理装置及び現金処理システムに関し、特に、営業店から所定の拠点へ輸送する現金を準備するための現金処理装置及び現金処理システムに関する。
【背景技術】
【０００２】
従来、銀行等の金融機関の営業店では営業店内の貨幣等を管理するために出納機と呼ばれる貨幣処理装置が利用されている（例えば、特許文献１参照）。出納機には紙幣や硬貨が入出金されるが、この入出金の際に各貨幣の金種、正損、真偽等が識別され、識別結果に基づいて金種別の金額や入出金の合計金額が算出される。貨幣処理装置で識別できない損傷度合いの激しい紙幣等、機械受付できない貨幣については、金額データ等の必要なデータを出納機に入力する操作を行って、貨幣現物は出納機に付属のポストへ投入して管理される。このポストには貨幣以外に小切手や手形等の有価媒体も収納されるようになっている。また、出納機では、内部に収納される貨幣、ポストに収納される貨幣に加えて、営業店内の金庫で保管されている貨幣の在高や係員が手持ち貨幣として保管している貨幣の在高についても関連するデータを入力して管理できるようになっている。
【０００３】
金融機関では、営業店内の貨幣の総額が所定金額を超過した場合、営業時間終了後等の予め定められた所定タイミングに達した場合等に、営業店内の貨幣が、金融機関の現金を管理する現金処理センターと呼ばれる拠点へ輸送される。例えば、営業店の営業に必要な量を超えた余剰分の貨幣が束紙幣や包装硬貨にまとめられて現金処理センターへ輸送される。また、損傷度合いが激しく機械受付不可能な紙幣や硬貨についても、所定金額に達した場合又は所定のタイミングで現金処理センターへ輸送される。
【０００４】
紙幣の輸送は、例えば、１００枚の紙幣を結束した束紙幣である小束の形で行われたり、１０個の小束をまとめて結束した大束の形で行われたりする。また、硬貨の輸送は、５０枚の硬貨を棒状にまとめて包装した包装硬貨（棒金硬貨）の形で行われたり、輸送用の袋に硬貨を詰めた袋取硬貨の形で行われたりする。どの種類の貨幣をどのような形態で輸送するかは、各金融機関で規定されており、各営業店では予め定められた規定に従って紙幣や硬貨の輸送準備を行っている。
【先行技術文献】
【特許文献】
【０００５】
【特許文献１】特開２００３−１５０７９３号公報
【発明の概要】
【発明が解決しようとする課題】
【０００６】
しかしながら、予め定められた規定通りの枚数や束になるように調整しながら営業店内の複数の装置や場所から貨幣を回収して行う輸送準備の作業は非常に煩雑なものであった。金融機関の営業店内には、出納機の他にも、紙幣や硬貨を収納する現金バスと呼ばれる貨幣処理装置等、複数の貨幣処理装置が様々な場所で利用される。このため、輸送準備を行う担当者は、貨幣を規定通りに準備するために、出納機で管理されている貨幣の他に、現金バス等の貨幣処理装置に収納されている貨幣の在高を確認して、どの場所にあるどの装置からどの種類の貨幣をどれだけ回収するかを決定しなければならない。そして、担当者は、この決定に基づいて、それぞれの場所にある装置から、回収対象とする種類の貨幣を必要な分だけ回収しなければならない。また、必要に応じて、回収した貨幣を束紙幣や包装硬貨の形態にまとめる作業を行う必要がある。
【０００７】
本発明は、上記従来技術の課題を解消するためになされたもので、営業店から所定の拠点へ輸送する現金を容易に準備することができる現金処理装置及び現金処理システムを提供することを目的とする。
【課題を解決するための手段】
【０００８】
上述した課題を解決し、目的を達成するため、本発明は、店舗内の現金を管理する現金処理システムであって、現金輸送の対象となる貨幣の情報を入力するための操作部と、前記現金輸送の対象となる貨幣の情報を表示するための表示部と、前記操作部により現金輸送の対象とする貨幣の種類を選択する操作に伴って、選択された種類の貨幣を保管する複数の保管場所と各保管場所から回収可能な貨幣量とを前記表示部に表示すると共に、前記操作部により各保管場所から回収する貨幣量を指定する操作に伴って、指定された貨幣の合計量を前記表示部に表示する管理制御部とを備えることを特徴とする。なお、表示部では貨幣量を金額又は枚数で表示して、操作部では貨幣量として金額又は枚数を指定する。
【０００９】
また、本発明は、上記発明において、前記管理制御部は、貨幣の種類毎に各保管場所から回収する貨幣量の内訳が決定された後、該決定に基づいて、回収する貨幣の種類及び量を示す情報を保管場所別に分類して前記表示部に表示することを特徴とする。
【００１０】
また、本発明は、上記発明において、前記保管場所は貨幣を内部に収納保管する貨幣処理装置を含み、前記管理制御部は、前記表示部に保管場所別に分類表示した前記情報の中から、回収作業の対象として貨幣処理装置が選択されると、前記貨幣処理装置から回収対象の貨幣を出金させるための情報を前記貨幣処理装置に送信することを特徴とする。
【００１１】
また、本発明は、上記発明において、前記貨幣処理装置は、入金されたバラ紙幣を収納するバラ紙幣処理部と、前記バラ紙幣処理部から所定枚数のバラ紙幣を受け取って束紙幣を作成する束紙幣処理部とを含み、前記管理制御部は、前記バラ紙幣処理部内のバラ紙幣の収納枚数との合計枚数が所定枚数となるように他から回収されたバラ紙幣が前記バラ紙幣処理部に入金されると、前記束紙幣処理部を制御して、前記バラ紙幣処理部に収納されていた前記バラ紙幣と入金された前記バラ紙幣とを合わせて束紙幣を作成することを特徴とする。
【００１２】
また、本発明は、上記発明において、前記貨幣処理装置は、入金されたバラ硬貨を収納するバラ硬貨処理部と、前記バラ硬貨処理部から所定枚数のバラ硬貨を受け取って包装硬貨を作成する包装硬貨処理部とを含み、前記管理制御部は、前記バラ硬貨処理部内のバラ硬貨の収納枚数との合計枚数が所定枚数となるように他から回収されたバラ硬貨が前記バラ硬貨処理部に入金されると、前記包装硬貨処理部を制御して、前記バラ硬貨処理部に収納されていた前記バラ硬貨と入金された前記バラ硬貨とを合わせて包装硬貨を作成することを特徴とする。
【００１３】
また、本発明は、上記発明において、前記現金輸送の対象に含まれる貨幣の種類には貨幣の正損を示す情報が含まれ、各保管場所から回収可能な貨幣情報を表示して、回収する貨幣量を決定する処理は、貨幣の正損別に行われることを特徴とする。
【００１４】
また、本発明は、上記発明において、各保管場所から回収可能な貨幣情報を表示して、回収する貨幣量を決定する処理は、正貨幣を対象として行った後に、損貨幣を対象として行われることを特徴とする。
【００１５】
また、本発明は、上記発明において、前記現金輸送の対象に含まれる貨幣の種類には券種情報が含まれ、損券を対象として前記操作部により貨幣の種類を選択する際には券種を選択することを特徴とする。
【００１６】
また、本発明は、上記発明において、前記現金輸送の対象に含まれる貨幣の種類には流通硬貨であるか記念硬貨であるかを示す情報が含まれ、硬貨を対象として前記操作部により貨幣の種類を選択する際には、前記流通硬貨は金種別に選択して、前記記念硬貨は金種を区別せずに記念硬貨として選択することを特徴とする。
【００１７】
また、本発明は、店舗内の現金を管理する現金処理装置であって、現金輸送の対象となる貨幣の情報を入力するための操作部と、前記現金輸送の対象となる貨幣の情報を表示するための表示部と、複数の保管場所から回収可能な貨幣の種類及び量を管理して、前記操作部により現金輸送の対象とする貨幣の種類を選択する操作に伴って、選択された種類の貨幣を保管する複数の保管場所と各保管場所から回収可能な貨幣量とを前記表示部に表示すると共に、前記操作部により各保管場所から回収する貨幣量を指定する操作に伴って、指定された貨幣の合計量を前記表示部に表示する管理制御部とを備えることを特徴とする。
【発明の効果】
【００１８】
本発明によれば、現金輸送する貨幣を準備する際に、貨幣の種類を選択すると、出納機や現金バス等の貨幣処理装置内に収納保管されている貨幣、金庫で管理保管されている貨幣、各担当者の手元で管理保管されている貨幣等、複数の保管場所で管理されている貨幣を対象として、選択された種類の貨幣を保管する保管場所と該保管場所から回収可能な貨幣の量とが一覧表示されて、この表示を確認しながらそれぞれの保管場所から回収する貨幣量を指定すると、指定された貨幣の合計量が表示されるので、どこからどの種類の貨幣をどれだけ回収するのかを検討して決定する作業を容易に行うことができる。
【００１９】
また、装置や場所等、それぞれの保管場所から回収する貨幣の内訳を貨幣の種類別に決定すると、回収する全ての貨幣の種類及び量が、保管場所別、すなわち装置別かつ場所別に整理されて表示されるので、この表示の通りに、順に回収作業を行うだけで、効率よく確実に現金輸送の準備を行うことができる。
【００２０】
また、装置から貨幣を回収する作業時には、例えば回収すべき貨幣の種類や量等、この装置から回収対象の貨幣を出金させるために必要な情報が、この装置に向けて送信されるので、回収する貨幣の種類や量をこの装置に再度入力する必要がなく、回収対象の貨幣を出金させて回収する作業を容易に行うことができる。
【００２１】
また、所定枚数の紙幣を結束して束紙幣の形態で回収すべき紙幣について、１つの装置内の収納枚数がこの所定枚数に満たない場合にも、回収貨幣を決定する画面上で、不足分を他の保管場所から回収するように決定する操作を容易に行える上に、こうして決定した紙幣を回収して結束機能を有する装置に入金するだけで、所定枚数を結束した束紙幣を作成することができる。また、硬貨についても同様に所定枚数を包装した包装硬貨を容易に作成することができる。
【図面の簡単な説明】
【００２２】
【図１】図１は、本実施形態に係る現金処理システムの概要を示す模式図である。
【図２】図２は、現金処理システムに含まれる各装置の外観例を示す図である。
【図３】図３は、現金処理システムに含まれる紙幣処理装置のバラ紙幣処理部の構成を示すブロック図である。
【図４】図４は、現金処理システムに含まれる紙幣処理装置の束紙幣処理部の構成を示すブロック図である。
【図５】図５は、現金処理システムに含まれる硬貨処理装置のバラ硬貨処理部の構成を示すブロック図である。
【図６】図６は、現金処理システムに含まれる硬貨処理装置の包装硬貨処理部の構成を示すブロック図である。
【図７】図７は、現金処理システムに含まれる損貨処理装置の構成を示すブロック図である。
【図８】図８は、現金処理システムに含まれる損券処理装置の構成を示すブロック図である。
【図９】図９は、現金輸送する正券及び正貨を準備する処理を説明するフローチャートである。
【図１０】図１０は、正券及び正貨の回収内訳を決定する現金輸送準備明細画面の画面例である。
【図１１】図１１は、正券及び正貨の回収作業を開始する際に表示される現金回収画面の画面例である。
【図１２】図１２は、現金輸送する損券及び損貨を準備する処理を説明するフローチャートである。
【図１３】図１３は、現金輸送する損券及び損貨の回収内訳を決定する作業前に損券及び損貨を回収する際に表示される現金輸送準備画面の画面例である。
【図１４】図１４は、損券の回収内訳を決定する現金輸送準備明細画面の画面例である。
【図１５】図１５は、損券の回収作業を開始する際に表示される現金回収画面の画面例である。
【図１６】図１６は、損貨の回収内訳を決定する現金輸送準備明細画面の画面例である。
【図１７】図１７は、損貨の回収作業を開始する際に表示される現金回収画面の画面例である。
【発明を実施するための形態】
【００２３】
以下に、添付図面を参照して、本発明に係る現金処理装置及び現金処理システムの好適な実施形態を詳細に説明する。本発明に係る現金処理システムは、本発明に係る現金処理装置と、該現金処理装置に接続された一又は複数の貨幣処理装置とによって構成されるが、本実施形態では、説明を簡単にするため、１台の現金バスが現金処理装置に接続される場合を例に説明する。また、本発明に係る現金処理システムは、銀行等の金融機関の他、大型店舗等の商業施設においても利用可能な技術であるが、本実施形態では、銀行の営業店から現金処理センターへ輸送する現金を準備する場合について説明する。
【００２４】
図１は、現金処理装置１及び現金バス７００を含む現金処理システムの概要を説明する模式図である。図１では、貨幣処理装置及び該装置の構成部を実線矩形で示し、貨幣処理装置外で貨幣を管理する管理単位（保管場所）を破線矩形で示している。また、図１では、現金処理装置１へのデータの入出力を実線及び破線の直線で示し、現金処理装置１への貨幣現物の入金を実線矢印で示し、輸送準備される貨幣を白矢印で示している。
【００２５】
また、図１の角丸矩形は貨幣の種類を示しており、現金処理システムでは、正券及び損券のバラ紙幣、正貨及び損貨のバラ硬貨、正券束、損券束、正貨包装硬貨を取り扱うことができる。なお、損貨処理装置５００は損貨を収納して管理する装置であるが、市場で使用されることがない記念硬貨は正貨であっても機械受付できない貨幣として損貨処理装置５００で管理される。このため、損貨処理装置５００では、損貨である流通硬貨を「流通硬貨」として、正貨及び損貨を含む記念硬貨を「記念硬貨」として示している。
【００２６】
図１では、貨幣処理装置（１、７００）、手持ち貨幣８００、在庫貨幣９００のそれぞれの管理単位毎に、出金可能な貨幣の種類及び形態の全てを示しているが、銀行では、管理単位毎に取り扱う貨幣が定められる。例えば、現金バス７００には損券や損券束は収納しないとか、銀行の窓口係が管理する手持ち貨幣８００に束紙幣（正券束、損券束）は含めないといった運用とする場合がある。
【００２７】
現金処理装置１は、バラ紙幣及び束紙幣を処理する紙幣処理装置１０と、バラ硬貨及び包装硬貨を処理する硬貨処理装置２０と、紙幣処理装置１０等による機械受付ができない損券を処理する損券処理装置６００と、硬貨処理装置２０等による機械受付ができない損貨及び記念硬貨を処理する損貨処理装置５００と、これらの装置に接続されて各装置の機能及び動作を制御する管理制御部３０と、該管理制御部３０を操作するための操作表示部４０と、輸送準備された貨幣の明細情報等を印刷するためのプリンター５０とを有する。
【００２８】
管理制御部３０は、貨幣が種類別かつ形態別に収納される現金バス７００から、出金可能な貨幣の種類及び数量に関する情報を受信して管理している（図１（１））。また、管理制御部３０は、銀行窓口の窓口係等が手持ち貨幣８００として手元で管理している貨幣の種類及び数量に関する情報、銀行内の金庫等で在庫貨幣９００として管理されている貨幣の種類及び数量に関する情報等、現金バス７００又は他の貨幣処理装置で機械管理されていない貨幣に関する情報も管理している（図１（２））。
【００２９】
現金バス７００は、装置前面側に引き出し可能な複数のドロアを有し、大量の包装硬貨や束紙幣を各ドロアに金種別に分類収納して管理する貨幣処理装置である。現金バス７００は、各ドロア内に収納された貨幣の金種や数量を自動計数して管理する機能を有する。また、現金バス７００では、ドロア内にバラ紙幣やバラ硬貨等を入金（収納）したり出金（回収）したりする場合に、入出金に係る情報を操作部から入力して管理することもできる。また、現金バス７００の各ドロアは通常はロックされて開くことができないようになっており、貨幣を入金するための操作又は貨幣を出金するための操作を行うと、入出金の対象となる貨幣が収納されたドロアのロックが解除されて、このドロアのみを開くことができる。そして、貨幣を入出してドロアを閉じると、このドロアは再びロックされるようになっている。
【００３０】
現金管理装置として利用される現金バス７００の基本的な機能及び動作については従来技術を利用することができるので詳細な説明は省略する。また、紙幣処理装置１０、硬貨処理装置２０、損券処理装置６００、損貨処理装置５００の装置構成等については詳細を後述する。
【００３１】
手持ち貨幣８００及び在庫貨幣９００については、操作表示部４０を操作して、入出金する貨幣の種類及び数量を現金処理装置１に手入力することによって、管理制御部３０による管理が開始される。また、この他、例えば、窓口係が操作表示部４０を操作して、窓口での業務に必要な手持ち貨幣８００を現金処理装置１から出金する処理を行うと、管理制御部３０は出金貨幣を手持ち貨幣８００への入金（増額分）として管理する。同様に、例えば、操作表示部４０を操作して、金庫に保管する貨幣を現金処理装置１から出金する処理が行われると、管理制御部３０は出金貨幣を在庫貨幣９００への入金（増額分）として管理する。手持ち貨幣８００の一部が銀行の顧客への出金等に利用された場合には、出金貨幣に関する情報が操作表示部４０又は現金処理装置１と通信可能に接続された図示しない窓口端末から入力されて、この入力情報を受けた管理制御部３０が管理情報を更新して、出金貨幣を手持ち貨幣８００からの出金（減額分）として管理する。在庫貨幣９００から出金される場合も同様に、操作表示部４０や他の操作端末から出金貨幣に関する情報が入力されると、これを在庫貨幣９００からの出金（減額分）として管理する。
【００３２】
現金処理システムでは、図１（４）に示したように、輸送する現金を様々な形態で準備することができる。例えば、紙幣処理装置１０により、正券及び損券を、それぞれバラ紙幣９１２又は束紙幣９１５の形態で準備することができる。また、硬貨処理装置２０により、正貨は包装硬貨９１４又は麻袋等の硬貨袋内に硬貨を収納した袋取硬貨９１３の形態で準備して、損貨はバラ硬貨９１１の形態で準備することができる。損貨処理装置５００からは、硬貨処理装置２０等により機械受付できない記念硬貨及び機械受け付けできないほどに損傷した流通硬貨をバラ硬貨９１１の形態で準備することができる。損券処理装置６００からは、紙幣処理装置１０等により機械受付できないほど損傷した紙幣である損券をバラ紙幣９１２の形態で準備することができる。さらに、図１（５）に示したように、現金バス７００に収納された貨幣、手持ち貨幣８００、在庫貨幣９００の中から、同図（４）に示す形態で貨幣を準備することも可能である。
【００３３】
現金の輸送準備を行う操作員が、現金処理装置１の操作表示部４０を操作して現金処理センターへ輸送する貨幣の種類を選択すると、操作表示部４０には、選択された貨幣の種類について、現金処理装置１、現金バス７００、手持ち貨幣８００及び在庫貨幣９００から回収可能な数量、形態等の情報が表示される。操作員は、操作表示部４０の画面表示を確認しながら、現金処理装置１、現金バス７００、手持ち貨幣８００、在庫貨幣９００のそれぞれから回収する貨幣の数量を、種類毎に、順次決定することができる。
【００３４】
そして、輸送現金として準備する貨幣全てを種類毎に決定した操作員が、操作表示部４０を操作して回収作業を開始する指示操作を行うと、操作表示部４０には、操作員が行うべき回収作業の内容と順序が表示される。回収作業は、現金処理装置１、現金バス７００、手持ち貨幣８００、在庫貨幣９００のそれぞれに分類してまとめて表示される。
【００３５】
具体的には、例えば、操作員が操作表示部４０を操作して、一万円札、五千円札、千円札の金種毎に、順に、現金処理装置１、現金バス７００、手持ち貨幣８００及び在庫貨幣９００から回収する紙幣枚数の内訳を決定すると、この決定を受けた管理制御部３０が、現金バス７００、手持ち貨幣８００及び在庫貨幣９００のそれぞれから、どの金種の紙幣を何枚回収するかを整理して、操作員が行うべき作業内容を操作表示部４０に表示する。これにより、操作員は操作表示部４０に表示される指示通りに、例えば、現金バス７００から回収対象となる複数金種の貨幣全てを回収して、次に手持ち貨幣８００から回収対象となる複数金種の貨幣全てを回収して、最後に在庫貨幣９００から回収対象となる複数金種の貨幣全てを回収することで、全ての貨幣を準備することができる。すなわち、操作員は、複数の装置や場所の間を繰り返し行ったり来たりする必要がなく、効率よく貨幣を回収することができる。
【００３６】
また、現金処理装置１では、回収した貨幣から束紙幣９１５及び包装硬貨９１４を容易に準備することができる。紙幣を例に説明すると、例えば、輸送現金として１００枚の一万円札を準備する際に、現金処理装置１のバラ紙幣処理部１００から９０枚の一万円札を回収可能であり、現金バス７００から１０枚の一万円札を回収可能である場合には、操作員は、操作表示部４０を操作して、バラ紙幣処理部１００内の９０枚の一万円札と現金バス７００内の１０枚の一万円札とにより、１００枚の一万円札を束紙幣９１５の形態で準備するよう回収する貨幣の内訳を決定することができる。
【００３７】
回収貨幣の内訳を決定して回収作業を開始すると、管理制御部３０の機能により、まず、現金バス７００から１０枚の一万円札を回収して紙幣処理装置１０へ入金するよう指示する情報が操作表示部４０に表示される。この表示に従って、操作員が現金バス７００から１０枚の一万円札を回収して紙幣処理装置１０へ入金すると（図１（３））、紙幣処理装置１０では、収納されている９０枚の一万円札に、入金された１０枚の一万円札を加えた１００枚の紙幣が結束され、束紙幣９１５の形態で装置外へ投出される（図１（４））。
【００３８】
このとき、現金処理装置１の管理制御部３０から現金バス７００に向けて、１０枚の一万円札を出金する出金処理内容に係る情報が送信されるので、操作員は、現金バス７００で、出金する貨幣の種類や枚数を指定する操作を行うことなく、先に決定した通りの貨幣を出金させることができる。また、管理制御部３０による紙幣処理装置１０の制御により、紙幣処理装置１０側でも入金操作等を行うことなく、現金バス７００から回収した貨幣を入金することができる。さらに、管理制御部３０による制御により、紙幣処理装置１０では、入金された紙幣と収納済み紙幣を合わせて結束し、この束紙幣９１５を投出する処理が、自動的に行われるようになっている。このため、操作員が、現金処理装置１の操作表示部４０に表示される指示に基づいて、出金された貨幣を現金処理装置１へ集めて入金する作業を行うだけで、束紙幣９１５や包装硬貨９１４等、所定形態の貨幣を容易に準備することができる。
【００３９】
なお、現金処理システムでは、紙幣については正券及び損券を区別し、硬貨についても正貨及び損貨を区別して輸送現金の内訳を決定することができる。また、予め銀行内で定められている規定に応じて、正損毎に準備する輸送現金の形態を、バラ硬貨９１１、袋取硬貨９１３、包装硬貨９１４、バラ紙幣９１２、束紙幣９１５の中から指定できるようになっている。これらの処理の詳細については後述する。
【００４０】
このように、本実施形態に係る現金処理システムでは、他の貨幣処理装置内に収納されている貨幣に関する情報を取得すると共に（図１中（１））、手持ちの貨幣や金庫にある貨幣等、装置外で管理されている貨幣に関する情報を取得して（図１中（２））、これらの情報を現金処理装置１の操作表示部４０に表示することにより、操作表示部４０による操作のみで、予め定められた規定通りに、どこからどの種類の貨幣をどれだけ回収するのかを決定する作業を容易に行うことができる。また、輸送する貨幣の種類毎に貨幣の内訳を決定して、回収作業を開始すると、操作員が行うべき回収作業の内容が操作表示部４０に表示されるので、操作員は、なすべき作業を記憶する必要がなく、容易に作業を進めることができる。また、回収作業は、装置毎、場所毎に分類してまとめて表示されるので、操作員は、複数の装置や場所等、貨幣の保管場所を何回も往復することなく、効率よく回収作業を行うことができる。また、他の貨幣処理装置から貨幣を回収する際には、現金処理装置１から、回収する貨幣の種類や数量を示す情報が回収作業の対象となる装置へ送信されるので、操作員は、回収貨幣に関する情報を再度入力することなく容易かつ正確に貨幣を回収することができる。さらに、回収した貨幣を現金処理装置１に入金するだけで（図１中（３））、束紙幣９１５や包装硬貨９１４等、指定した形態で貨幣を準備することができるので（図１中（４））、全ての輸送現金を容易かつ正確に準備することができる。
【００４１】
次に、現金処理システムを構成する各装置について説明する。図２は、現金処理システムを構成する各装置の外観図である。現金処理装置１では、バラ紙幣処理部１００及び束紙幣処理部２００から成る紙幣処理装置１０と、バラ硬貨処理部３００及び包装硬貨処理部４００から成る硬貨処理装置２０との間に、損券処理装置６００が配置され、損券処理装置６００の上面に損貨処理装置５００が配置されている。紙幣処理装置１０及び硬貨処理装置２０の上面には、それぞれ操作表示部４０及びプリンター５０が配置され、それぞれの装置で作業する操作員は、各装置の前から移動することなく操作表示部４０の操作や表示情報の確認を行えるようになっている。また、現金処理装置１の隣に現金バス７００が配置されている。
【００４２】
バラ紙幣処理部１００は、筐体前面に、入金されるバラ紙幣を受け入れるためのバラ紙幣入金口１１０とリジェクトされたバラ紙幣を投出するための入金リジェクト部１２０を有し、筐体上面に、出金されるバラ紙幣を排出するためのバラ紙幣出金口１５２を有している。束紙幣処理部２００は、筐体前面上部に、束紙幣を排出するための帯封紙幣出金口２１８を有し、筐体前面下部に、束紙幣を機外へ投出するための帯封紙幣投出口２２１を有している。
【００４３】
バラ硬貨処理部３００は、筐体上面に、入金されるバラ硬貨を受け入れるためのバラ硬貨入金口３１０を有し、筐体前面に、出金されるバラ硬貨を排出するためのバラ硬貨出金口３７０、リジェクトされたバラ硬貨を投出するための入金リジェクト口３２２、硬貨袋を取り付けて該硬貨袋内にバラ硬貨を回収できるように形成された袋取シュート部３２４、入金処理途中に処理がキャンセルされたバラ硬貨を排出するための返却回収箱３２６を有している。包装硬貨処理部４００は、筐体前面上部に、包装硬貨を排出するための包装硬貨出金口４８０を有し、その下に、大量の包装硬貨を一括回収するための包装硬貨一括箱４６０と包装硬貨を機外へ投出するための包装硬貨投出口４７０とを有している。
【００４４】
損貨処理装置５００は、硬貨処理装置２０では受け付けられない硬貨を受け入れるための損貨入金口５１０と、受け付けた硬貨を分類して収納するための流通硬貨収納部５４０及び記念硬貨収納部５４４と、返却する硬貨を収納するための返却硬貨収納部５４２とを有している。受け付けた硬貨のうち、流通硬貨の損貨が流通硬貨収納部５４０に収納され、記念硬貨の正貨及び損貨が記念硬貨収納部５４４に収納される。
【００４５】
損券処理装置６００は、筐体上面前部に、紙幣処理装置１０では受け付けられない損券や、小切手、手形等の紙葉類を受け入れるための紙葉類入金口６１０を有し、筐体前面に、損券等の紙葉類を排出するための紙葉類出金口６８０と損券等を投入して保管するポスト６７０とを有している。
【００４６】
次に、紙幣処理装置１０を構成するバラ紙幣処理部１００及び束紙幣処理部２００について説明する。図３はバラ紙幣処理部１００の構成を示すブロック図であり、図４は束紙幣処理部２００の構成を示すブロック図である。図２に示すように、バラ紙幣処理部１００及び束紙幣処理部２００を左右に配置して紙幣処理装置１０が構成されている。
【００４７】
図３に示すように、バラ紙幣処理部１００には、外部から筐体１０２内に紙幣を投入するためのバラ紙幣入金口１１０及び筐体１０２内から外部にバラ紙幣を投出するためのバラ紙幣出金口１５２が設けられている。バラ紙幣入金口１１０の紙幣は紙幣繰出部１１２により１枚ずつ筐体１０２内に繰り出され、入金搬送部１１４により搬送される。入金搬送部１１４に設けられた入金識別部１１６により、搬送される紙幣の金種、真偽、正損、新旧等が識別される。また、入金識別部１１６の紙幣搬送方向下流側には表裏反転部１１８が設けられ、入金識別部１１６により識別された紙幣の表裏が揃えられるようになっている。また、入金識別部１１６により、正常な紙幣ではないと識別された紙幣、すなわちリジェクト紙幣は入金リジェクト部１２０からリジェクトされる。
【００４８】
入金搬送部１１４には１つの一括一時保留部１３０と、複数の金種別一時保留部１３２とが接続されている。一括一時保留部１３０には複数金種の紙幣が混合状態で一時的に保留され、各金種別一時保留部１３２にはそれぞれ特定の金種の紙幣が一時的に保留される。また、一括一時保留部１３０に対応して１つの一括紙幣収納庫１４０が設けられ、各金種別一時保留部１３２に対応して金種別紙幣収納庫１４２が設けられている。一括紙幣収納庫１４０には一括一時保留部１３０から送られた紙幣が積層状態で収納され、金種別紙幣収納庫１４２には対応する金種別一時保留部１３２から送られた紙幣が積層状態で収納される。また、一括紙幣収納庫１４０及び各金種別紙幣収納庫１４２にはそれぞれ紙幣繰出部１４４が設けられており、一括紙幣収納庫１４０及び各金種別紙幣収納庫１４２の紙幣を１枚ずつ繰り出せるようになっている。なお、一括紙幣収納庫１４０には、例えば、市場での再利用に適さないと判定された損券や各金種別紙幣収納庫１４２が満杯となって収納できなかった紙幣等が、金種混合状態で収納される。
【００４９】
各紙幣繰出部１４４には下部搬送部１４６が接続されており、一括紙幣収納庫１４０や各金種別紙幣収納庫１４２から繰り出された紙幣が下部搬送部１４６により１枚ずつ搬送される。下部搬送部１４６には出金識別部１４８が接続されており、下部搬送部１４６により搬送される紙幣の金種、真偽、正損、新旧等が識別されるようになっている。また、出金識別部１４８には出金搬送部１５０が接続されている。出金搬送部１５０には、バラ紙幣出金口１５２、出金リジェクト部１５４、２つの整理一時保留部１６０がそれぞれ接続されており、出金識別部１４８により識別された紙幣のうち、筐体１０２の外部に投出される紙幣はバラ紙幣出金口１５２に送られて、バラ紙幣出金口１５２内部に集積される。また、出金識別部１４８により正常な紙幣ではないと識別された紙幣、すなわちリジェクト紙幣は、出金搬送部１５０により出金リジェクト部１５４に送られる。出金リジェクト部１５４に集積されたリジェクト紙幣は、バラ紙幣処理部１００の筐体１０２に設けられた扉を開いて取り出せるようになっている。また、出金識別部１４８により識別された紙幣のうち、束紙幣処理部２００により結束される紙幣は出金搬送部１５０により各整理一時保留部１６０に送られるようになっている。各整理一時保留部１６０では、出金搬送部１５０から送られた紙幣が積層状態で集積される。
【００５０】
入金搬送部１１４や出金搬送部１５０における分岐箇所にはそれぞれ分岐部材１７０が設けられており、これらの分岐部材１７０により、分岐箇所における紙幣の搬送先が制御されるようになっている。また、入金搬送部１１４、下部搬送部１４６、出金搬送部１５０には紙幣を検出する紙幣検出センサ１８０が複数設けられており分岐部材１７０による紙幣の搬送先制御のタイミングを決定するために利用されている。
【００５１】
図４に示すように、束紙幣処理部２００には、バラ紙幣処理部１００内の整理一時保留部１６０に集積された紙幣の束を取り出すためのアーム部２１０と、アーム部２１０によって取り出された紙幣の束を帯封（結束）するための帯封部２１２とが設けられている。アーム部２１０は、例えば、上下一対のアーム（上アーム及び下アーム）から構成されており、整理一時保留部１６０に集積された紙幣の束を、上下一対のアームで上下方向から挟んで整理一時保留部１６０から取り出すようになっている。帯封部２１２の近傍にはテープセット部２１４が設けられており、このテープセット部２１４から帯封部２１２に送られた帯封紙によって、帯封部２１２において、例えば１００枚の紙幣の束が帯封される。帯封部２１２には帯封紙幣搬送部２１６が接続されており、帯封部２１２により帯封された束紙幣は帯封紙幣搬送部２１６により帯封紙幣出金口２１８に搬送される。帯封紙幣出金口２１８は束紙幣処理部２００の筐体２０２外部からアクセス可能となっており、操作員はこの帯封紙幣出金口２１８に送られた束紙幣を筐体２０２外から取り出せるようになっている。
【００５２】
また、帯封紙幣出金口２１８には帯封紙幣収納出金部２２０やリフト部２２４が接続されている。帯封紙幣収納出金部２２０には帯封紙幣判別部２２２が設けられており、帯封紙幣出金口２１８から帯封紙幣収納出金部２２０に送られた束紙幣の金種等の判別を行うようになっている。また、帯封紙幣収納出金部２２０には複数の帯封紙幣収納カセット２３０が接続されており、帯封紙幣出金口２１８により筐体２０２の外部に投出されない束紙幣が各帯封紙幣収納カセット２３０に金種別に収納される。各帯封紙幣収納カセット２３０にはカセット駆動部２３２が設けられており、各帯封紙幣収納カセット２３０に収納された束紙幣が帯封紙幣収納出金部２２０に戻されるようになっている。各帯封紙幣収納カセット２３０から帯封紙幣収納出金部２２０に戻された束紙幣は帯封紙幣出金口２１８に送られて、筐体２０２の外部に投出される。また、帯封紙幣出金口２１８に送られた束紙幣はリフト部２２４により上下方向に搬送可能となっている。リフト部２２４の下部には束紙幣回収用の帯封紙幣投出口２２１が設けられており、ここから束紙幣を筐体２０２の外部に投出することも可能である。
【００５３】
次に、硬貨処理装置２０を構成するバラ硬貨処理部３００及び包装硬貨処理部４００について説明する。図５はバラ硬貨処理部３００の構成を示すブロック図であり、図６は包装硬貨処理部４００の構成を示すブロック図である。図２に示すように、バラ硬貨処理部３００及び包装硬貨処理部４００を左右に配置して硬貨処理装置２０が構成されている。
【００５４】
図５に示すように、バラ硬貨処理部３００の筐体３０２上部には、バラ硬貨を外部から受け入れるバラ硬貨入金口３１０と、このバラ硬貨入金口３１０から、装置内で硬貨を搬送する搬送路上に１枚ずつ硬貨を繰り出す硬貨繰出部３１２と、搬送路を搬送される硬貨の金種、真偽、正損、新旧等を識別する入金識別部３１４が配置されている。入金識別部３１４により識別された硬貨は、硬貨選別部３２０に搬送されて、ここで識別結果に基づいて選別される。正常な硬貨ではないと識別された硬貨、すなわちリジェクト硬貨は、入金リジェクト口３２２からリジェクトされる。
【００５５】
硬貨選別部３２０には１つの一括一時保留部３３０と、複数の金種別一時保留部３３２とがそれぞれ接続されている。一括一時保留部３３０には複数金種の硬貨が混合状態で一時的に保留され、各金種別一時保留部３３２にはそれぞれ特定の金種の硬貨が一時的に保留される。また、一括一時保留部３３０に対応して１つの一括硬貨収納庫３４０が設けられ、各金種別一時保留部３３２に対応して金種別硬貨収納庫３４２が設けられている。
【００５６】
入金処理時に、入金硬貨を識別して一時保留した状態で入金が確定されると、一括一時保留部３３０内の硬貨は一括硬貨収納庫３４０へ収納され、金種別一時保留部３３２内の硬貨は金種別硬貨収納庫３４２へ収納される。入金処理がキャンセルされた場合には、一括一時保留部３３０及び金種別一時保留部３３２内の硬貨は、返却回収箱３２６から返却される。なお、一括硬貨収納庫３４０は、例えば、市場での再利用に適さないと判定された損貨や各金種別硬貨収納庫３４２が満杯となって収納できなかった硬貨等が、金種混合状態で収納される。
【００５７】
一括硬貨収納庫３４０及び各金種別硬貨収納庫３４２にはそれぞれ硬貨繰出部３４４が設けられており、一括硬貨収納庫３４０及び各金種別硬貨収納庫３４２の硬貨を１枚ずつ繰り出せるようになっている。各硬貨繰出部３４４にはバラ硬貨搬送部３５０が接続されており、一括硬貨収納庫３４０及び各金種別硬貨収納庫３４２から繰り出された硬貨がバラ硬貨搬送部３５０により搬送される。
【００５８】
バラ硬貨搬送部３５０に繰り出された硬貨を袋取シュート部３２４から回収する場合には、バラ硬貨搬送部３５０から入金識別部３１４へ向けて硬貨が搬送される。袋取シュート部３２４には硬貨袋を取り付けられるようになっており、入金識別部３１４により枚数計数された硬貨が、硬貨選別部３２０から袋取シュート部３２４へ送られて、硬貨袋内へ回収される。
【００５９】
一方、バラ硬貨搬送部３５０に繰り出された硬貨をバラ硬貨出金口３７０から出金する場合には、バラ硬貨搬送部３５０から出金識別部３５２へ向けて硬貨が搬送される。出金識別部３５２では、バラ硬貨搬送部３５０から搬送される硬貨の金種、真偽、正損、新旧等が識別される。出金識別部３５２には出金一時保留部３５４が接続されており、出金識別部３５２により識別された硬貨は出金一時保留部３５４に搬送される。出金一時保留部３５４には出金リジェクト箱３５６及び出金箱３６０が接続されており、出金識別部３５２による識別結果に基づいて、出金対象となる硬貨は出金箱３６０へ収納され、リジェクト硬貨は出金リジェクト箱３５６へ収納される。出金箱３６０は上下に移動可能に設けられており、出金対象となる全ての硬貨が収納された後、上方へ移動してバラ硬貨出金口３７０から硬貨を出金する。出金リジェクト箱３５６内のリジェクト硬貨は、筐体３０２に設けられた扉を開いて取り出せるようになっている。
【００６０】
金種別硬貨収納庫３４２に収納された硬貨により包装硬貨を作成する場合には、硬貨繰出部３４４によって金種別硬貨収納庫３４２から繰り出された硬貨が、受渡バラ硬貨収納部３８０に収納される。
【００６１】
図６に示すように、包装硬貨処理部４００では、受渡バラ硬貨収納部３８０に収納された硬貨が硬貨繰出部４１０によって繰り出されて硬貨包装部４２０へ搬送され、ここで所定枚数（例えば５０枚）の硬貨を包装した包装硬貨が作成される。硬貨包装部４２０では、硬貨繰出部４１０によって繰り出された硬貨が所定枚数に達しなかった場合、作成した包装硬貨の長さが所定値を超えるために異常であると判断された場合に、これらが端数箱４３０へ収納される。端数箱４３０に収納された硬貨は、筐体４０２に設けられた扉を開いて取り出せるようになっている。
【００６２】
所定枚数の硬貨を包装して正常に包装硬貨が作成された場合には、この包装硬貨が硬貨包装部４２０から包装硬貨搬送部４４０へと送られる。そして、包装硬貨は、包装硬貨搬送部４４０により、包装硬貨の金種に対応する金種別包装硬貨収納庫４５０へ収納される。また、硬貨包装部４２０によって作成した包装硬貨を、包装硬貨搬送部４４０によって搬送し、包装硬貨一括箱４６０、包装硬貨出金口４８０又は包装硬貨投出口４７０を利用して外部に排出することもできる。
【００６３】
また、金種別包装硬貨収納庫４５０に収納された包装硬貨は包装硬貨搬送部４４０へ繰り出せるようになっており、金種別包装硬貨収納庫４５０から繰り出された包装硬貨を、包装硬貨搬送部４４０によって搬送し、包装硬貨一括箱４６０、包装硬貨出金口４８０又は包装硬貨投出口４７０から外部に排出することもできる。
【００６４】
次に、損貨処理装置５００及び損券処理装置６００について説明する。図７は損貨処理装置５００の構成を示すブロック図であり、図８は損券処理装置６００の構成を示すブロック図である。
【００６５】
図７に示す損貨処理装置５００では、損貨入金口５１０から硬貨（損貨又は記念硬貨）が入金されると、画像取得部５２０により硬貨の画像が取得され、この画像が現金処理装置１の操作表示部４０に表示される。画像取得部５２０によって画像が取得された硬貨は、損貨搬送部５３０により一時保留部５３５へ搬送されて一時的に収納される。
【００６６】
硬貨が一時保留部５３５内に収納された状態で、操作員が、操作表示部４０に表示された画像を確認しながら操作表示部４０を操作して、硬貨の種類等の情報を入力する。具体的には、この硬貨が、流通硬貨の損貨、記念硬貨の正貨又は損貨のいずれであるかを示す情報と、金種等の硬貨の価値を示す情報とを入力する。こうして硬貨の種類が決定されると、一時保留部５３５内の硬貨が繰り出され、損貨搬送部５３０によって搬送されて、硬貨の種類に応じて、流通硬貨収納部５４０又は記念硬貨収納部５４４へ収納される。流通硬貨収納部５４０には流通硬貨の損貨が収納され、記念硬貨収納部５４４には記念硬貨の正貨及び損貨が収納される。
【００６７】
硬貨（損貨又は記念硬貨）の出金時には、流通硬貨収納部５４０又は記念硬貨収納部５４４から出金対象となる硬貨が繰り出されて、損貨搬送部５３０によって搬送されて、返却硬貨収納部５４２へ収納される。図２に示す流通硬貨収納部５４０、返却硬貨収納部５４２及び記念硬貨収納部５４４はそれぞれが独立した箱形形状を有しており、筐体５０２前部から手前へ引き出せるように構成されている。これにより、返却硬貨収納部５４２に出金された硬貨を、手前に引き出した返却硬貨収納部５４２から取り出すことができる。ただし、流通硬貨収納部５４０及び記念硬貨収納部５４４から硬貨を出金する方法が、これに限定されるものではない。流通硬貨収納部５４０及び記念硬貨収納部５４４は、筐体から手前に引き出して内部に収納された硬貨を取り出し可能な構造を有しているので、これらの収納部を引き出して硬貨の出金や回収を行う態様であっても構わない。
【００６８】
図８に示す損券処理装置６００では、紙葉類入金口６１０から損券が入金されると、この損券は紙葉類繰出部６１２によって装置内に繰り出される。そして、画像取得部６２０により損券の画像が取得され、この画像が現金処理装置１の操作表示部４０に表示される。画像取得部６２０によって画像が取得された損券は、紙葉類搬送部６３０により一時保留部６４０へ搬送され、一時保留部６４０内に一時的に収納される。
【００６９】
なお、損券処理装置６００に、損券を入金する際には、損券の損傷度合いによって、専用のキャリアシートを利用する。キャリアシートは、一部が接合された一対の透明シートから構成されており、この一対の透明シートの間に損券を挟み込めるようになっている。損券を挟み込んだキャリアシートを紙葉類入金口６１０から装置内に繰り出すことにより、そのままでは正常に搬送できないほど損傷した損券であっても、キャリアシートに挟んだ状態で装置内を搬送して、画像を取得したり収納したりすることが可能となる。
【００７０】
損券が一時保留部６４０内に収納された状態で、操作員が、操作表示部４０に表示された画像を確認しながら操作表示部４０を操作して、損券の種類等の情報を入力する。具体的には、損券の券種を示す情報と、損券の価値を示す情報とを入力する。券種とは、紙幣の金種及び新旧に関する種類を特定するもので、例えば、金種が同じ一万円の紙幣が、券種では、紙幣の新旧によってＤ一万円券やＥ一万円券というように区別される。また、価値とは、損券の貨幣価値を示すもので、例えば、日本銀行では、損券が、一部が破れて欠損した紙幣である場合には、紙幣全体の面積に対する損券の残存面積の割合が２／３以上の場合は金種の全額の価値、２／５以上かつ２／３未満の場合は当該紙幣の金種の半額の価値、２／５未満の場合は価値がないと規定されている。操作表示部４０には、損券の券種や価値を判断するための参考となる券種のサンプル画像等の補助情報が表示され、操作員は、損券画像と補助情報とを確認しながら損券の券種及び価値を判断して入力できるようになっている。
【００７１】
こうして損券の種類が決定されると、一時保留部６４０内の損券が繰り出され、紙葉類搬送部６３０によって搬送されて、損券収納部（第１収納部）６５２又は損券収納繰出部（第２収納部）６５４に収納される。損券収納部６５２は損券を集積して収納する集積方式の収納部であり、キャリアシートを利用して装置内に繰り出された損券は損券収納部６５２へ収納される。一方、キャリアシートを利用することなく装置内に繰り出された損券はテープ式の損券収納繰出部６５４へ収納される。損券収納繰出部６５４は、ドラムによって巻き取られる２枚のテープの間に損券を挟み込んで収納するテープ式の収納部である。損券収納繰出部６５４では、損券をドラムに巻き取って収納することに加えて、ドラムを逆回転させてテープの間に挟み込んだ損券を紙葉類搬送部６３０に繰り出せるようになっている。
【００７２】
損券収納部６５２に集積された損券を出金して回収する際には、筐体６０２の扉を開いて損券収納部６５２内の損券をキャリアシートごと取り出して回収する。損券収納繰出部６５４に収納された損券を回収する際には、損券収納繰出部６５４から紙葉類搬送部６３０に繰り出して、紙葉類出金口６８０へ排出してから回収する。
【００７３】
なお、ここでは輸送現金の準備について説明するため、損券の入出金についてのみ説明するが、損券処理装置６００は、損券以外に小切手等の紙葉類の入金処理と新券（市場流通していない完封券）の出金処理とを行えるようになっている。具体的には、小切手入金時には、損券の場合と同様に、紙葉類入金口６１０から入金された小切手は、画像取得部６２０によって画像が取得された後、紙葉類搬送部６３０によって搬送されて小切手収納部６５０に収納される。また、新券出金時には、新券収納部６６０に収納されている新券が繰り出されて新券判別部６６２により金種のみを識別する簡易識別が行われた後、紙葉類搬送部６３０によって搬送されて紙葉類出金口６８０から出金される。
【００７４】
現金処理装置１では、管理制御部３０が、上述した紙幣処理装置１０、硬貨処理装置２０、損貨処理装置５００及び損券処理装置６００で行われる各処理を監視して、各装置内部に収納されている貨幣の金種、枚数、正損の状態、形態等を管理している。
【００７５】
次に、現金処理装置１を操作して貨幣の輸送準備を行う際の操作手順について説明する。図９〜図１１は、正券及び正貨の輸送準備を行う際の操作手順を説明する図であり、図１２〜図１７は損券及び損貨の輸送準備を行う際の操作手順を説明する図である。
【００７６】
まず、正券及び正貨の輸送準備作業について説明する。図９は、現金処理装置１を利用して正券及び正貨の輸送準備を行う際の手順を説明するフローチャートである。まず、現金処理装置１の操作表示部４０を操作して現金輸送準備明細画面を表示して、輸送する正券及び正貨の種類及び枚数を決定する操作を行う（ステップＳ１１）。
【００７７】
図１０は、操作表示部４０に表示される正券及び正貨に係る現金輸送準備明細画面の画面例である。図１０（ａ）が正券の種類及び枚数を決定する際の画面例であり、同図（ｂ）が正貨の種類及び枚数を決定する際の画面例である。
【００７８】
図１０（ａ）に示すように、画面上には回収対象金種６１が一覧表示される。回収対象金種６１の中から回収枚数を決定する金種を選択すると、画面上では、この選択金種が反転表示されると共に、金種別回収内訳６２として、関連する情報が一覧表示される。金種別回収内訳６２には、選択金種の正券を回収可能な装置や場所を示す管理単位と、各管理単位から回収可能な選択金種の正券の枚数（図中「在高」）と、回収することを決定した正券の枚数（図中「回収」）とが表示される。金種別回収内訳６２の下に、金種別回収内訳６２で回収対象として入力された回収枚数の合計枚数６３が表示される。
【００７９】
また、画面上には補助情報６０が表示される。補助情報６０として、例えば、予め定められた銀行内の規定に従って、現金輸送のために、どの金種の貨幣を何枚どのような形態で準備すべきであるかを示す情報や、規定に従う枚数とするために金種別回収内訳６２で残り何枚を回収するよう入力しなければならないかを示す情報等が表示される。また、金種別回収内訳６２に表示される在高表示については、表示する枚数情報をカスタマイズできるようになっている。例えば、図１０（ａ）の現金バス７００を例に挙げると、枚数情報として、現金バス７００に収納されている一万円札正券の総数を表示する設定の他、現金バス７００に残置する一万円札正券の枚数を予め指定しておいて、これを超過する枚数分、すなわち回収可能な枚数のみを表示する設定とすることもできる。また、束紙幣の数、束紙幣に含まれる紙幣枚数、バラ紙幣の枚数をそれぞれ区別可能に表示する設定とすることもできる。
【００８０】
図１０（ａ）に示す画面上で、例えば、操作員が、回収対象金種６１の中から一万円札を示す「万」の表示を選択すると、操作表示部４０には、一万円札正券を回収可能な装置及び場所と、これらの装置及び場所から回収可能な一万円札正券の枚数を示す在高とを含む金種別回収内訳６２が表示される。操作員が、金種別回収内訳６２の表示上で回収対象とする装置や場所を選択してから、画面下にあるテンキー表示を操作して回収枚数を入力すると、入力した回収枚数が金種別回収内訳６２に反映されると共に、合計枚数６３が更新される。操作員は、合計枚数６３が予め規定された回収枚数と一致するように、どの装置及び場所から何枚の紙幣を回収するかを検討して決定する。
【００８１】
図１０（ａ）の例は、一万円札正券の金種別回収内訳６２として、図１に示す手持ち貨幣８００から２００枚、在庫貨幣９００から１００枚、現金バス７００から２１６枚、紙幣処理装置１０のバラ紙幣処理部１００から３８４枚の合計９００枚を回収することが決定済みで、紙幣処理装置１０の束紙幣処理部２００から回収する枚数を入力中の画面となっている。例えば、一万円札正券について、１００枚を結束した束紙幣単位で回収する規定がある場合に、現金バス７００から回収する枚数を２１６枚と決定した操作員は、現金処理装置１のバラ紙幣処理部１００から回収する枚数を３８４枚と入力した際に、合計枚数６３の表示から、回収枚数を１００枚単位で決定できたことを容易に確認することができる。
【００８２】
なお、補助情報６０には、回収する貨幣の回収形態を選択するためのボタンが表示され、このボタンを操作することにより回収形態を変更できるようになっている。具体的には、例えば、一万円札正券を束紙幣として回収するよう規定されている場合には、自動的に、束紙幣として回収するよう処理が進められるが、補助情報６０として表示されたボタンを操作して手動で切り換えることにより、一部又は全部の回収形態をバラ紙幣に変更できるようになっている。なお、金種別回収内訳６２では、回収形態の異なる回収貨幣の枚数が区別可能に表示される。例えば、「バラ紙幣」又は「束紙幣」と回収形態を文字で表示したり、バラ紙幣と束紙幣の枚数を色を変えて表示すると共に回収形態と表示色の対応を補助情報６０として表示したりすることができる。
【００８３】
正貨を対象として輸送現金の回収枚数を決定する場合にも、正券の場合と同様の操作を行って、図１０（ｂ）に示すように硬貨の金種を選択すると共に、金種別回収内訳６２に回収枚数を入力して、どの装置及び場所から何枚の正貨を回収するかを決定する。操作方法や表示される情報は、図１０（ａ）に示す正券の場合と略同じであるため詳細な説明は省略するが、例えば、補助情報６０として、どの金種の正貨をどれだけどのような形態で回収しなければならないかを示す情報が表示される。
【００８４】
低額硬貨の場合には回収枚数が多くなるため、正貨を対象とする画面上では、合計枚数６３の欄に、選択金種の枚数に加えて金額が表示されるようになっている。また、テンキー表示を利用して硬貨枚数を入力する際にも、枚数又は金額による入力が可能となっている。例えば、５０円硬貨の回収枚数決定時にテンキーから「１３５枚」と入力した場合も「６７５０円」と入力した場合も金種別回収内訳６２には１３５枚と自動的に枚数が入力される。なお、回収対象金種６１の上側には、こうして順に選択された各金種の正券及び正貨の合計金額、すなわち輸送現金の総額が表示される。
【００８５】
このように、輸送現金の詳細を決定する際には、管理制御部３０による制御によって操作表示部４０上に各種の情報が表示される。また、操作表示部４０を操作して入力された情報は、管理制御部３０に入力される。
【００８６】
操作表示部４０を操作して、図１０に示すように、金種別に、どの装置及び場所からどれだけの貨幣を回収するかを決定する操作を完了すると、次に、操作員は、それぞれの装置及び場所から、各金種の貨幣現物を、決定した枚数だけ回収する回収作業を開始する（図９ステップＳ１２）。  図１０に示す現金輸送準備明細画面で回収開始のボタンを押すと、現金回収画面が表示される。
【００８７】
図１１は、正券及び正貨の現金回収画面の画面例である。図１１（ａ）が在庫貨幣９００の回収作業前の状態を示し、同図（ｂ）が在庫貨幣９００の回収作業後の状態を示している。なお、画面上には回収作業の内容が表示される。具体的には、回収作業の対象となる装置や場所と、回収対象とする貨幣形態と、回収する貨幣量とを含む情報が表示される。また、図１１でも、図１０の場合と同様に、回収作業を行うのに有用な補助情報６６を表示できるようになっている。
【００８８】
図１１（ａ）に示すように、画面右側には、図１０に示す現金輸送準備明細画面で決定された内容に基づいて、管理制御部３０によって自動作成された回収作業リスト６４が表示される。回収作業リスト６４は、操作員が行うべき作業内容を装置別かつ場所別にまとめてリスト表示したもので、操作員が、回収作業リスト６４に表示された作業内容を上から順に行うだけで正券及び正貨の輸送準備を完了できるようになっている。なお、リスト表示する際に装置や場所をどのような優先順位で表示するかについては、回収作業の効率を考慮して、事前に設定できるようになっている。
【００８９】
画面左側には、装置等から回収済みの輸送現金の合計金額と内訳とを含む回収済現金情報６５が表示される。図１１（ａ）の回収済現金情報６５は、手持ち貨幣８００から一万円札正券２００枚と五千円札正券１００枚を既に回収済みであり、回収済み輸送現金の合計金額が２５０万円となっていることを示している。操作員が、この画面上で、回収作業リスト６４のＮｏ．１を選択して処理開始ボタンを押すと、この作業が完了したものとして、図１１（ｂ）に示すように、リスト上の表示が反転表示となり回収済現金情報６５がこの作業を反映した内容に更新される。
【００９０】
現金処理システムでは、銀行の営業店舗内の様々な場所や装置内に保管されている貨幣を対象として、輸送現金の準備を容易かつ効率的に行うことができる点を１つの特徴としている。例えば、一万円札正券について、１００枚を結束した束紙幣単位で回収する規定がある場合に、図１０（ａ）に示すように、現金輸送準備明細画面で、現金バス７００から２１６枚の一万円札を回収し、紙幣処理装置１０のバラ紙幣処理部１００から３８４枚の一万円札正券を回収するよう決定すると、管理制御部３０は、この決定内容に基づいて、これら合計６００枚の一万円札正券から１００枚の束紙幣を作成するように作業内容を決定する。この結果、管理制御部３０によって、図１１（ａ）にある作業リスト６４のＮｏ．２〜Ｎｏ．４が自動作成される。
【００９１】
具体的には、管理制御部３０は、現金バス７００での回収作業が一回で済むように、Ｎｏ．２の作業内容を自動作成する。そして、管理制御部３０は、現金バス７００に収納されている貨幣の情報に基づいて、２１６枚の一万円札正券のうち２００枚は正券束の形態で回収できることを認識すると、Ｎｏ．２の作業で現金バス７００から回収した貨幣のうち１６枚のバラ紙幣のみを紙幣処理装置１０に入金させるＮｏ．３の作業内容を自動作成する。さらに、管理制御部３０は、Ｎｏ．３の作業で入金された１６枚のバラ紙幣とバラ紙幣処理部１００から回収する３８４枚のバラ紙幣とを合わせた４００枚のバラ紙幣から束紙幣を作成し、作成した４つの束紙幣を回収させるＮｏ．４の作業を自動作成する。
【００９２】
こうして自動作成された作業リスト６４に従って、操作員が、図１１（ａ）に示す画面上で、Ｎｏ．２を選択して処理開始ボタンを押すと、現金処理装置１の管理制御部３０から現金バス７００に、一万円札の正券束２つ（２００枚）とバラ紙幣１６枚を出金することを示す出金処理情報が送信される。図２に示す現金バス７００の各ドロア７１１〜７１５は通常はロックされており、操作部７１６及び表示部７１７により行う認証処理を経て出金処理内容を入力した場合に対応するドロアのロックが解除されて、出金貨幣が収納されたドロアのみを引き出せるようになっている。しかし、現金処理装置１の管理制御部３０から出金処理情報を受信すると、現金バス７００は、認証処理や出金処理内容の入力を要求することなく、一万円札の正券束及びバラ紙幣が収納されたドロアのロックを解除する。これにより、操作員は、現金バス７００で認証処理や出金貨幣の指定操作を行うことなく、現金バス７００から、必要な貨幣を出金させることができる。また、操作員は、１回の回収作業で、現金バス７００から束紙幣及びバラ紙幣の両方を回収することができる。
【００９３】
次に、操作員が、操作表示部４０上で、図１１（ａ）に示す作業リスト６４のＮｏ．３を選択して実行すると、現金バス７００から回収した１６枚の一万円札正券バラ紙幣を、紙幣処理装置１０へ投入することを指示する情報が表示される。具体的には、操作表示部４０では、補助情報６６として、操作員が行うべき作業が表示されるようになっており、Ｎｏ．３の作業実行時には、現金バス７００から回収した紙幣のうち、２つの束紙幣はそのまま回収し、残りの１６枚の一万円札正券バラ紙幣をバラ紙幣処理部１００のバラ紙幣入金口１１０へ入金するよう指示する情報が表示される。この際も、管理制御部３０による紙幣処理装置１０の制御により、バラ紙幣入金口１１０が自動的に開放される。これにより、操作員は、紙幣処理装置１０での認証処理や入金貨幣の指定操作を行うことなく、現金バス７００から回収した貨幣をバラ紙幣処理部１００に容易に入金することができる。
【００９４】
次に、Ｎｏ．３の作業を終えた操作員が、操作表示部４０上で、図１１（ａ）に示す作業リスト６４のＮｏ．４を選択して実行すると、画面上の補助情報６６には、入金された貨幣により束紙幣を作成中であることを示す情報と、作成した束紙幣が束紙幣処理部２００の帯封紙幣出金口２１８から出金されるのでこれを回収するよう指示する情報とが表示される。なお、補助情報６６には、束紙幣の出金先を変更可能であることを示す情報が表示されるようになっており、ここで束紙幣の出金先を図２に示す帯封紙幣出金口２１８から帯封紙幣投出口２２１へ変更できるようになっている。
【００９５】
現金処理装置１では、操作員が現金バス７００から回収した１６枚の一万円札正券バラ紙幣がバラ紙幣入金口１１０へ入金されると、管理制御部３０により、図３及び図４に示した各部が制御され、入金された１６枚の一万円札正券バラ紙幣とバラ紙幣処理部１００から回収するよう決定されていた３８４枚の一万円札正券バラ紙幣とを合わせた４００枚の紙幣が、１００枚単位で２つの整理一時保留部１６０に交互に集積される。そして、整理一時保留部１６０に集積された１００枚の紙幣は、バラ紙幣処理部１００から束紙幣処理部２００へ送られて、帯封部２１２により束紙幣とされた後、帯封紙幣出金口２１８から出金される。
【００９６】
操作員が、操作表示部４０上で、図１１（ａ）に示す作業リスト６４のＮｏ．５を選択して実行すると、図１０（ａ）に示す画面上で紙幣処理装置１０の束紙幣処理部２００から回収するよう決定した通りに、束紙幣処理部２００で作成済みの束紙幣が帯封紙幣収納カセット２３０から繰り出されて帯封紙幣出金口２１８へ投出される。この場合も、Ｎｏ．５の作業を選択すると、束紙幣が帯封紙幣出金口２１８から出金されることを示す情報と、束紙幣の出金先を変更可能であることを示す情報とが操作表示部４０に表示される。例えば、図２に示す束紙幣処理部２００の帯封紙幣投出口２２１の前に運搬箱を配置して、束紙幣の出金先を帯封紙幣出金口２１８から帯封紙幣投出口２２１へ変更してから処理開始ボタンを操作すれば、運搬箱内に束紙幣を投出させることも可能である。
【００９７】
硬貨処理装置２０によって行う正貨の準備作業でも、正券の場合と同様に、バラ硬貨処理部３００からバラ硬貨を回収したり、バラ硬貨処理部３００に収納されているバラ硬貨や他の装置から回収して入金されたバラ硬貨から包装硬貨処理部４００で包装硬貨を作成してから回収したり、包装硬貨処理部４００で作成済みの包装硬貨を回収したりすることができる。また、このとき、バラ硬貨を、バラ硬貨処理部３００のバラ硬貨出金口３７０及び袋取シュート部３２４のいずれを利用して回収するか、包装硬貨を、包装硬貨処理部４００の包装硬貨出金口４８０、包装硬貨投出口４７０、包装硬貨一括箱４６０及び袋取シュート部３２４のいずれを利用して回収するかを選択できるようになっている。
【００９８】
こうして、図１１に示す作業リスト６４にある全ての現金回収作業を完了すると、プリンター５０から、準備された輸送現金の明細を含む現金輸送伝票が印刷されて出力される（図９ステップＳ１３）。準備された輸送現金は現金輸送伝票と共に現金処理センターへ向けて輸送される。
【００９９】
次に、損券及び損貨の輸送準備作業について説明する。図１２は、現金処理装置１を利用して損券及び損貨の輸送準備を行う際の手順を説明するフローチャートである。損券及び損貨の輸送準備を行う際には、操作員が、事前に銀行内にある損券や損貨を集めてから、損券及び損貨の種類や数量を決定する点と、この決定を損券と損貨とで別々に行う点が、正券及び正貨の場合と異なっている。
【０１００】
まず、現金処理装置１の操作表示部４０に表示される現金輸送準備画面を確認しながら、銀行内にある損券及び損貨を事前回収する（ステップＳ２１）。図１３は、事前回収作業時に表示される現金輸送準備画面の画面例である。この画面に表示されたＮｏ．１〜Ｎｏ．５の作業を順に実行することにより、損券及び損貨の事前回収作業を完了できるようになっている。なお、この画面例は、銀行内では損券の束紙幣及び損貨の包装硬貨を作成しない運用となっており、図１に示すバラ紙幣処理部１００、バラ硬貨処理部３００、損貨処理装置５００、損券処理装置６００、現金バス７００、手持ち貨幣８００及び在庫貨幣９００の中に、損券及び損貨が含まれる場合の例である。
【０１０１】
操作員が、図１３の画面上でＮｏ．１の作業を選択すると、画面上にはバラ紙幣処理部１００から損券を回収するよう指示する補助情報が表示される。画面上で処理開始ボタンを押すと、管理制御部３０からバラ紙幣処理部１００へ、内部に収納されている全ての損券を出金するよう指示する信号が送信される。この信号を受信したバラ紙幣処理部１００は、一括紙幣収納庫１４０に収納されている損券全てを繰り出してバラ紙幣出金口１５２に出金する。バラ紙幣処理部１００から出金された損券は操作員の手元管理となるので、管理制御部３０はバラ紙幣処理部１００内の損券を手持ち貨幣８００への入金（増額分）として処理する。同様に、画面上でＮｏ．２の作業を選択して実行すると、管理制御部３０は、バラ硬貨処理部３００の一括硬貨収納庫３４０に収納されている損貨全てを出金させると共に、出金した損貨を操作員の手持ち貨幣８００への入金（増額分）として処理する。
【０１０２】
なお、損券及び損貨については、装置内を搬送して出金させる他、一括紙幣収納庫１４０及び一括硬貨収納庫３４０に収納された貨幣を、直接手作業で回収する態様であっても構わない。例えば、先に一括紙幣収納庫１４０から手作業により損券を回収してから、図１３の画面上でＮｏ．１の作業を選択すると、管理制御部３０は、一括紙幣収納庫１４０から損券を出金するよう指示する信号をバラ紙幣処理部１００へ送信する。バラ紙幣処理部１００では、一括紙幣収納庫１４０から紙幣が繰り出せないことを認識すると、これを示す信号を管理制御部３０へ送信する。これを受けた管理制御部３０は、補助情報として、手作業による回収を先に行ったか否かを尋ねる情報を表示する。操作員が損券を回収済みであることを示す情報を入力すると、管理制御部３０はバラ紙幣処理部１００内の損券を手持ち貨幣８００への入金（増額分）として処理する。すなわち、バラ紙幣処理部１００による出金処理が中止され、管理制御部３０による管理情報の更新処理のみが行われることになる。一括硬貨収納庫３４０からの損貨の手作業による回収及びＮｏ．２の作業実行についても同様に処理される。
【０１０３】
次に、操作員が、画面上でＮｏ．３の作業を選択すると、損券処理装置６００の第１収納部（損券収納部６５２）から損券を手回収するよう指示する補助情報が表示される。操作員は、損券処理装置６００の筐体６０２の扉を開いて損券収納部６５２内の全ての損券を回収する。損券処理装置６００から回収された損券は操作員の手元管理となるので、管理制御部３０は、損券処理装置６００の損券収納部６５２内の損券が損券処理装置６００から出金されて手持ち貨幣８００へ入金（増額分）されたものとして処理する。
【０１０４】
また、操作員が、画面上でＮｏ．４の作業を選択すると、損貨処理装置５００から全ての損貨及び記念硬貨を手回収するよう指示する補助情報が表示される。操作員は、損貨処理装置５００の流通硬貨収納部５４０及び記念硬貨収納部５４４を筐体５０２前方へ引き出して内部の損貨及び記念硬貨を全て回収する。損貨処理装置５００から回収された損貨及び記念硬貨は操作員の手元管理となるので、管理制御部３０は、損貨処理装置５００の流通硬貨収納部５４０内の損貨及び記念硬貨収納部５４４内の記念硬貨が損貨処理装置５００から出金されて手持ち貨幣８００へ入金（増額分）されたものとして処理する。
【０１０５】
最後に、画面上でＮｏ．５の作業を選択すると、画面上には、これらの他に損券及び損貨があれば、これを回収してデータ登録するよう指示する補助情報が表示される。例えば、管理制御部３０に在高が登録されていない手持ち貨幣や現金処理装置１と接続されていない貨幣処理装置内に損券や損貨があれば、これらが回収及びデータ登録の作業対象となる。操作員は、回収すべき損券及び損貨があればこれらを回収してデータを登録する。登録されたデータは、手持ち貨幣８００への入金（増額分）として処理される。
【０１０６】
なお、回収した損券及び損貨に係るデータの登録作業は、損券及び損貨の数が少ない場合には、操作表示部４０を操作して手作業によって行う。また、損券及び損貨の数が多い場合には、損券処理装置６００及び損貨処理装置５００への入金処理を行って、損券処理装置６００及び損貨処理装置５００の在高に追加する作業を行ってもよい。画面上に、手入力、又は損券処理装置６００及び損貨処理装置５００のいずれによってデータの登録作業を行うかを尋ねる補助情報が表示されるので、ここでいずれかを選択すると、選択した方法によりデータ登録作業を行う実行画面に遷移する。そして、回収した損券及び損貨のデータ登録作業が完了すると、再び、図１３に示す画面に戻るようになっている。
【０１０７】
こうして、Ｎｏ．１〜Ｎｏ．５にある損券及び損貨の事前回収作業（図１２のステップＳ２１）の全てを完了すると、現金輸送の対象となる損券及び損貨が、損券処理装置６００、現金バス７００、手持ち貨幣８００及び在庫貨幣９００のみに含まれる状態となる。この状態で、操作員は、現金輸送準備明細画面上でそれぞれの装置及び場所にある損券の在高を確認しながら輸送現金に含める損券の内訳を決定して（ステップＳ２２）、決定内容に基づいて自動作成される現金回収画面を確認しながら損券現物を回収して輸送準備を行う（ステップＳ２３）。続いて、操作員は、同様に、現金輸送準備明細画面上でそれぞれの装置及び場所にある損貨の在高を確認しながら輸送現金に含める損貨の内訳を決定して（ステップＳ２４）、決定内容に基づいて自動作成される現金回収画面を確認しながら損貨現物を回収して輸送準備を行う（ステップＳ２５）。そして、損券及び損貨の輸送準備を完了すると、プリンター５０から、準備された輸送現金の明細を含む現金輸送伝票が印刷出力される（ステップＳ２６）。
【０１０８】
図１４は、輸送現金として準備する損券の内訳を決定する作業時に（図１２ステップＳ２２）、操作表示部４０に表示される現金輸送準備明細画面の画面例である。画面上には回収対象券種７１が一覧表示される。回収対象券種７１の中から回収枚数を決定する券種を選択すると、画面上では、この選択券種が反転表示されると共に、券種別回収内訳７２として関連する情報が一覧表示される。券種別回収内訳７２には、選択券種の損券を回収可能な装置及び場所を示す管理単位と、各管理単位から回収可能な選択券種の損券の枚数（図中「在高」）と、回収することを決定した損券の枚数（図中「回収」）とが表示される。券種別回収内訳７２の下に、券種別回収内訳７２で回収対象として入力された選択券種の合計枚数７３が表示される。
【０１０９】
例えば、操作員が、図１４に示す画面上で、回収対象券種７１の中から一万円Ｅ券損券を示す表示を選択すると、一万円Ｅ券損券を回収可能な装置及び場所と、これらの装置及び場所から回収可能な一万円Ｅ券損券の枚数を示す在高とを含む券種別回収内訳７２が表示される。操作員が、券種別回収内訳７２の表示上で回収対象とする装置や場所を選択してから、画面下にあるテンキー表示を操作して回収枚数を入力すると、合計枚数７３の表示が更新される。
【０１１０】
図１４の例は、一万円Ｅ券損券の券種別回収内訳７２として、図１に示す手持ち貨幣８００から１００枚、在庫貨幣９００から１００枚、現金バス７００から１００枚の合計３００枚を回収することが決定済みで、損券処理装置６００の第２収納部（損券収納繰出部６５４）から回収する枚数を入力中の画面となっている。紙幣処理装置１０、現金バス７００、損券処理装置６００の第１収納部（損券収納部６５２）の損券は、図１３に示す事前回収作業により、既に回収されて手持ち貨幣８００に含まれているので、券種別回収内訳７２の管理単位には表示されない。
【０１１１】
また、画面上には補助情報７０を表示することも可能となっている。補助情報７０として、例えば、予め定められた銀行内の規定に従って、どの券種の損券をどのように準備すべきであるかを示す情報等が表示される。また、券種別回収内訳７２に表示される在高表示については、正券の場合と同様に、表示する情報をカスタマイズできるようになっている。
【０１１２】
図１４に示す現金輸送準備明細画面で回収開始のボタンを押して回収作業を開始すると（図１２ステップＳ２３）、図１５に示す現金回収画面が表示される。画面右側には、図１４に示す現金輸送準備明細画面で決定された内容に基づいて、管理制御部３０によって自動作成された回収作業リスト７４が表示される。回収作業リスト７４は、操作員が行うべき作業内容を装置別かつ場所別にまとめてリスト表示したもので、操作員が回収作業リスト７４に表示された作業内容を上から順に行うだけで損券の輸送準備を完了できるようになっている。
【０１１３】
画面左側には、装置等から回収済みの損券の合計金額と内訳とを含む回収済現金情報７５が表示される。図１５の回収済現金情報７５は、手持ち貨幣８００として一万円Ｅ券損券が１００枚と五千円Ｄ券損券１００枚が回収済みであり、回収済み損券の合計金額が１５０万円となっていることを示している。
【０１１４】
この他、画面上の回収作業リスト７４を順に選択して処理開始ボタンを押しながら、損券を回収する作業が行われる点、作業完了により回収作業リスト７４上の表示が反転表示となり回収済現金情報７５がこの作業を反映した内容に更新される点等は、図１１に示す正券及び正貨の回収作業時と同様である。なお、損券は枚数が少ないため、現金輸送時にもバラ紙幣のままで輸送する場合が多くなるが、例えば、１００枚に到達せずとも予め定められた所定枚数に達した所で束紙幣とする規定となっている場合は、回収した枚数がこの所定枚数に達した時点で、回収した損券を結束して束紙幣を作成する。
【０１１５】
例えば、回収した損券が所定枚数に達した場合には、図１５に示す画面上に束紙幣を作成するよう指示する情報と、束紙幣作成を指示するボタンとが補助情報７６として表示される。操作員が、この束紙幣作成ボタンを押すと、紙幣処理装置１０が束紙幣作成待ち状態となる。この状態で、バラ紙幣処理部１００のバラ紙幣入金口１１０に、結束対象とする複数枚の損券を入金すると、これらの損券は識別等の処理を行わずに強制的に束紙幣処理部２００へ搬送されて、帯封部２１２により結束された後、帯封紙幣出金口２１８から投出される。ただし、損券は、紙幣処理装置１０内を正常に搬送できない可能性があるので、紙幣処理装置１０を利用して束紙幣を作成する処理を行うか否かは設定により変更できるようになっている。例えば、複数枚の紙幣をセットして結束する機能のみを有する単機能帯封機が別途用意されているような場合には、紙幣処理装置１０による損券の束紙幣作成機能をオフにして、この帯封機を利用して損券の束紙幣を作成する。
【０１１６】
図１６は、輸送現金として準備する損貨の内訳を決定する作業時に（図１２ステップＳ２４）、操作表示部４０に表示される現金輸送準備明細画面の画面例である。また、図１７は、図１６に示す現金輸送準備明細画面で回収する損貨の内訳を決定した後、回収開始のボタンを押して回収作業を開始した際に（図１２ステップＳ２５）、操作表示部４０に表示される現金回収画面の画面例である。輸送現金とされる損貨には、損貨ではない記念硬貨が含まれる点が、損券の場合と異なっているが、各画面で表示される情報の内容、各画面を確認しながら行う作業内容及び処理内容は損券の場合と略同様であるため詳細な説明は省略する。
【０１１７】
なお、本実施形態では回収する貨幣に関する情報表示や貨幣量の指定を枚数単位で行う例を示したが、情報表示として金額を表示したり、貨幣量の指定操作で金額を指定したりする態様であっても構わない。
【０１１８】
上述してきたように、本実施形態に係る現金処理装置１によれば、現金処理装置１を構成する紙幣処理装置１０、硬貨処理装置２０、損貨処理装置５００及び損券処理装置６００に加えて、現金処理システムを構成する現金バス７００等、他の貨幣処理装置に収納保管されている貨幣の種類や枚数等の情報と、銀行の窓口係等が手元管理している手持ち貨幣８００、金庫内等で管理される在庫貨幣９００等、装置外で管理保管される貨幣の種類や枚数等の情報とを管理することができる。これにより、現金処理装置１で管理される様々な装置及び場所の貨幣の在高を一覧表示して、予め定められた規定に従うように、それぞれの場所や装置から回収する輸送現金の内訳を、金種別に、容易に決定することができる。例えば、ある装置内に収納された回収対象金種の紙幣が、束紙幣として回収すべきであるにも拘わらず、１００枚に満たないために束紙幣とできないような場合でも、他の場所や装置で管理されている紙幣の種類や枚数を確認しながら、不足分の紙幣を回収して１００枚となるように回収内訳を決定する作業を容易に行うことができる。また、例えば、損券を回収して輸送する際には、金種に加えて新旧を考慮した券種毎に回収するよう規定されている場合があるが、このような場合でも、銀行内にある損券の券種及び枚数を確認しながら、容易かつ確実に輸送準備を行うことができる。
【０１１９】
また、貨幣処理装置から貨幣を出金させて回収する場合でも、現金処理装置１の操作表示部４０上で回収作業を選択するだけで、貨幣の回収対象となる装置で認証処理や出金操作を行わずとも、回収対象とする貨幣を自動的に出金させたりドロアのロックを解除させたりすることができるので、貨幣の回収作業を容易に進めることができる。
【０１２０】
また、様々な装置及び場所から、金種、正損等が異なる複数種類の紙幣及び硬貨を回収するように輸送現金の内訳を決定した場合に、決定内容に基づいて、どこからどのような貨幣を何枚回収するかを示す回収作業の内容が、装置別かつ場所別に整理されてリスト表示される。操作員は、このリスト表示に従って順に回収作業を行うだけで輸送現金を準備することができる。このため、複数の装置及び場所から回収した紙幣で１００枚の束紙幣を作成するよう決定したような場合でも、操作員はその決定内容を記憶することなく、装置に表示される回収作業に関する情報を確認しながら、容易かつ確実に回収作業を行って束紙幣を作成することができる。
【産業上の利用可能性】
【０１２１】
以上のように、本発明に係る現金処理装置及び現金処理システムは、銀行や大型店舗等の店舗内に現金を対象に所定の拠点へ輸送する現金を準備するために有用である。
【符号の説明】
【０１２２】
１  現金処理装置
１０  紙幣処理装置
２０  硬貨処理装置
３０  管理制御部
４０  操作表示部
５０  プリンター
１００  バラ紙幣処理部
１０２、２０２、３０２、４０２、５０２、６０２  筐体
１１０  バラ紙幣入金口
１１２、１４４  紙幣繰出部
１１４  入金搬送部
１１６、３１４  入金識別部
１１８  表裏反転部
１２０  入金リジェクト部
１３０、３３０  一括一時保留部
１３２、３３２  金種別一時保留部
１４０  一括紙幣収納庫
１４２  金種別紙幣収納庫
１４６  下部搬送部
１４８、３５２  出金識別部
１５０  出金搬送部
１５２  バラ紙幣出金口
１５４、３５６  出金リジェクト部
１６０  整理一時保留部
１７０  分岐部材
１８０  紙幣検出センサ
２００  束紙幣処理部
２１０  アーム部
２１２  帯封部
２１４  テープセット部
２１６  帯封紙幣搬送部
２１８  帯封紙幣出金口
２２０  帯封紙幣収納出金部
２２１  帯封紙幣投出口
２２２  帯封紙幣判別部
２２４  リフト部
２３０  帯封紙幣収納カセット
２３２  カセット駆動部
３００  バラ硬貨処理部
３１０  バラ硬貨入金口
３１２、３４４、４１０  硬貨繰出部
３２０  硬貨選別部
３２２  入金リジェクト口
３２４  袋取シュート部
３２６  返却回収箱
３４０  一括硬貨収納庫
３４２  金種別硬貨収納庫
３５０  バラ硬貨搬送部
３５４  出金一時保留部
３６０  出金箱
３７０  バラ硬貨出金口
３８０  受渡バラ硬貨収納部
４００  包装硬貨処理部
４２０  硬貨包装部
４３０  端数箱
４４０  包装硬貨搬送部
４５０  金種別包装硬貨収納庫
４６０  包装硬貨一括箱
４７０  包装硬貨投出口
４８０  包装硬貨出金口
５００  損貨処理装置
５１０  損貨入金口
５２０、６２０  画像取得部
５３０  損貨搬送部
５３５、６４０  一時保留部
５４０  流通硬貨収納部
５４２  返却硬貨収納部
５４４  記念硬貨収納部
６００  損券処理装置
６１０  紙葉類入金口
６１２  紙葉類繰出部
６３０  紙葉類搬送部
６５０  小切手収納部
６５２  損券収納部
６５４  損券収納繰出部
６６０  新券収納部
６６２  新券判別部
６７０  ポスト
６８０  紙葉類出金口
７００  現金バス
７１１〜７１５  ドロア
７１６  操作部
７１７  表示部
【図１】
2015094987.tif 000003
【図２】
2015094987.tif 000004
【図３】
2015094987.tif 000005
【図４】
2015094987.tif 000006
【図５】
2015094987.tif 000007
【図６】
2015094987.tif 000008
【図７】
2015094987.tif 000009
【図８】
2015094987.tif 000010
【図９】
2015094987.tif 000011
【図１０】
2015094987.tif 000012
【図１１】
2015094987.tif 000013
【図１２】
2015094987.tif 000014
【図１３】
2015094987.tif 000015
【図１４】
2015094987.tif 000016
【図１５】
2015094987.tif 000017
【図１６】
2015094987.tif 000018
【図１７】
2015094987.tif 000019